(57)【要約】【課題】効率的に工作物の設計をすることができる設計図作成システム、プログラムおよび情報記憶媒体を提供する。【解決手段】設計図作成システム１００は、被接続対象部に接続される接続対象部の作図を指令する作図指令手段３０ａと、作図指令手段３０ａにより作図の指示をされた接続対象部を表示部１０に表示する表示制御手段３０ｂとを含む。設計図作成システム１００は、接続点に接続される接続対象部の種類および必要条件を含む属性情報を記憶した属性情報記憶手段２０ａと、被接続対象部の一つの接続点を決定する接続点決定手段３０ｃと、その接続点に基づき被接続対象部に対応する属性情報から種類および必要条件を抽出する接続条件抽出手段３０ｄと、抽出された接続対象部の種類および必要条件を満たす接続対象部の作図を指令する作図指令手段３０ａを起動する起動手段３０ｅと、を含む。【選択図】図１
2010165382.tif 000002
【特許請求の範囲】
【請求項１】
入力手段、
表示部、
複数の接続部を有する被接続対象部の２次元図形情報および３次元図形情報を記憶した被接続対象部図形記憶手段、
被接続対象部を指定する被接続対象部指定手段、
被接続対象部指定手段により指定された被接続対象部を２次元および／または３次元で前記表示部に表示する表示制御手段、
２次元または３次元で前記表示部に表示された被接続対象部の各接続点に対し、接続対象部の作図を行なったとき、その作図が２次元の場合には３次元の作図も同時に行い、その作図が３次元の場合には２次元の作図も同時に行う作図指令手段
を備えていることを特徴とする設計図作成システム。
【請求項２】
入力手段および表示部備えるコンピュータを
複数の接続部を有する被接続対象部の２次元図形情報および３次元図形情報を記憶した被接続対象部図形記憶手段、
被接続対象部を指定する被接続対象部指定手段、
被接続対象部指定手段により指定された被接続対象部を２次元および／または３次元で前記表示部に表示する表示制御手段、
２次元または３次元で前記表示部に表示された被接続対象部の各接続点に対し、接続対象部の作図を行なったとき、その作図が２次元の場合には３次元の作図も同時に行い、その作図が３次元の場合には２次元の作図も同時に行う作図指令手段、として機能させるためのプログラム。
【請求項３】
請求項２に記載のプログラムを記憶したコンピュータ読み取り可能な情報記憶媒体。
【発明の詳細な説明】
【技術分野】
【０００１】
本発明は、工作物の設計の際に使用し得る設計図作成システム、プログラムおよび情報記憶媒体に関する。
【背景技術】
【０００２】
現在、建築物の設計図面の作成は、ＣＡＤを用いて行われることが多くなっている。建築物の設計図面をＣＡＤで作成する場合において、被接続対象部に接続される接続対象部を作図する際、次のように行っていた。すなわち、作図コマンドを開き、そのコマンドの入力領域に、接続対象部の種類や寸法（たとえば径）、接続位置、取り付け高さなどを入力し、実行することで、接続対象部を作図していた。
【発明の開示】
【発明が解決しようとする課題】
【０００３】
しかし、このような方法によれば、コマンドを開き、さらに種種の入力を行わなければならないため、非常に作図に当たっての操作数が多く、また、使いこなすには、かなりの訓練が必要であった。  本発明の目的は、効率的に工作物の設計をすることができる設計図作成システム、プログラムおよび情報記憶媒体を提供することにある。
【課題を解決するための手段および発明の効果】
【０００４】
（１）設計図作成システム  （１−１）第１の設計図作成システム  本発明の第１の設計図作成システムは、  被接続対象部に接続される接続対象部の作図を指令する作図指令手段と、  前記作図指令手段により作図の指示をされた接続対象部を表示部に表示する表示制御手段と、を含む設計図作成システムであって、  該被接続対象部の接続点ごとに該接続点に接続される接続対象部の種類および必要条件を含む属性情報であって、被接続対象部ごとに対応づけられた属性情報を記憶した属性情報記憶手段と、  前記表示部に表示された被接続対象部の接続点のうち、一つの接続点を決定する接続点決定手段と、  前記接続点決定手段により決定された接続点に基づき、前記被接続対象部に対応する属性情報から、該接続点に接続される接続対象部の種類および必要条件を抽出する接続条件抽出手段と、  前記接続条件抽出手段により抽出された接続対象部の種類および必要条件を満たす接続対象部の作図を指令する作図指令手段を起動する起動手段と、を含む。  
【０００５】
接続点決定手段が接続点を決定し、接続条件抽出手段がその接続点に対応する接続条件（接続対象部の種類および必要条件）を属性情報から読み出し、起動手段がその接続対象部の種類および必要条件を満たす接続対象部の作図を指令する作図指令手段を自動起動している。したがって、この実施の形態によれば、接続対象部の種類、接続点の位置等を入力するためのコマンドを起動させる工程やそれらの情報を入力する工程が不要なため、作図作業の工程数を大幅に減らすことができ、作図業務の効率化を図ることができる。  
【０００６】
本発明の一態様として、工作物の設計条件を入力する設計条件入力手段と、  前記設計条件入力手段により入力された設計条件を記憶する記憶手段と、  前記記憶手段に記憶された設計条件に基づき、前記接続対象部の属性を決定する属性決定手段とを含むことができる。  
【０００７】
本発明の一態様として、前記属性情報は、部品の位置情報をさらに含み、  前記表示制御部により前記表示部に表示された２次元または３次元の部品の図形情報の位置を認識する位置認識手段と、  該接続対象部の属性情報の位置情報を、前記位置認識手段により認識された部品の図形情報の位置情報に変更する位置変更手段と、を含み、  前記表示制御部は、前記部品の属性情報から位置情報を取得し、２次元または３次元の前記接続対象部位の図形情報の表示位置と対応する位置に、３次元または２次元の前記接続対象部位の図形情報を表示することができる。  
【０００８】
本発明の一態様として、前記属性情報は、部品の位置情報をさらに含み、  前記表示制御部により前記表示部に表示された平面または断面の部品の図形情報の位置を認識する位置認識手段と、  該接続対象部の属性情報の位置情報を、前記位置認識手段により認識された部品の図形情報の位置情報に変更する位置変更手段と、を含み、  前記表示制御部は、前記部品の属性情報から位置情報を取得し、平面または断面の前記接続対象部位の図形情報の表示位置と対応する位置に、断面または平面の前記接続対象部位の図形情報を表示することができる。  
【０００９】
（１−２）第２の設計図作成システム  本発明の第２の設計図作成システムは、  工作物の構成要素の作図を指令する作図指令手段と、前記作図指令手段により作図の指示をされた工作物の構成要素を表示部に表示する表示制御手段と、  前記工作物の設計条件を入力する設計条件入力手段と、  前記設計条件入力手段により入力された設計条件を記憶する記憶手段と、前記記憶手段に記憶された設計条件に基づき、前記作図指令手段により指示された前記工作物の構成要素の属性を決定する属性決定部と、  前記作図指令手段は、前記属性決定部で決定された属性を満たす前記工作物の構成要素の作図を指令する。  
【００１０】
属性決定手段が、設計条件を記憶した記憶手段から設計条件を読み出し、その設計条件にしたがって作図しようとする工作物の構成要素の属性（たとえば種類、取り付け位置）を決定するため、各工作物の構成要素を作図する際、その属性情報を入力する必要がない。このため、作図の効率化を図ることができる。  
【００１１】
（１−３）第３の設計図作成システム  本発明の第３の設計図作成システムは、  部品の図形情報を表示する表示部と、  前記部品の位置情報を含む属性情報が記憶された記憶部と、  前記表示部に表示する２次元または３次元の部品の図形情報を指定する部品指定手段と、  前記作図指令手段により指定された２次元または３次元の部品の図形情報を表示部に表示する表示制御部と、  前記表示部に表示された前記２次元または３次元の部品の図形情報の位置を認識する位置認識手段と、  該部品の属性情報の位置情報を、前記位置認識手段により認識された部品の図形情報の位置情報に変更する位置変更手段と、を含み、  前記表示制御部は、前記部品の属性情報から位置情報を取得し、前記部品指定手段により指定された２次元または３次元の部品の図形情報の表示位置と対応する位置に、対応する３次元または２次元の部品の図形情報を表示する。  
【００１２】
本発明の一態様として、前記部品の属性情報は、該部品の寸法を含み、  前記部品の属性情報に基づいて、２次元または３次元の図形情報を生成する図形情報生成手段を含むことができる。  
【００１３】
設計図面作成時に、２次元データおよび３次元データを画面上に表示することができる。これにより、設計している際に、同時に種種の観点から、作成している設計図をチェックすることができる。  
【００１４】
本発明の一態様として、前記部品に対応させて２次元または３次元の図形情報が記憶された記憶手段と、  前記記憶手段から前記部品の２次元または３次元の図形情報を抽出する図形情報抽出手段とを含むことができる。  
【００１５】
（１−４）第４の設計図作成システム  本発明の第４の設計図作成システムは、  部品の図形情報を表示する表示部と、  前記部品の位置情報を含む属性情報が記憶された記憶部と、  前記表示部に表示する平面または断面の部品の図形情報を指定する部品指定手段と、  前記部品指定手段により指定された平面または断面の部品の図形情報を表示部に表示する表示制御手段と、  前記表示部に表示された平面または断面の部品の図形情報の位置を認識する位置認識手段と、  該部品の属性情報の位置情報を、前記位置認識手段により認識された部品の図形情報の位置情報に変更する位置変更手段と、を含み、  前記表示制御部は、前記部品の属性情報から位置情報を取得し、前記部品指定手段により指定された平面または断面の部品の図形情報の表示位置と対応する位置に、対応する断面または平面の部品の図形情報を表示する。  
【００１６】
設計図面作成時に、平面データおよび断面データを画面上に表示することができる。これにより、設計している際に、同時に種種の観点から、作成している設計図をチェックすることができる。  
【００１７】
本発明の一態様として、前記部品の属性情報は、該部品の寸法を含み、  前記部品の属性情報に基づいて、平面または断面の図形情報を生成する図形情報生成手段を含むことができる。  
【００１８】
本発明の一態様として、前記部品に対応させて平面または断面の図形情報が記憶された記憶手段と、  前記記憶手段から前記部品の平面または断面の図形情報を抽出する図形情報抽出手段とを含むことができる。  
【００１９】
（２）プログラム  （２−１）第１のプログラム  本発明の第１のプログラムは、  コンピュータを、被接続対象部に接続される接続対象部の作図を指令する作図指令手段、および  前記作図指令手段により作図の指示をされた接続対象部を表示部に表示する表示制御手段として機能させるプログラムであって、  前記コンピュータを、さらに、  該被接続対象部の接続点ごとに該接続点に接続される接続対象部の種類および必要条件を含む属性情報であって、被接続対象部ごとに対応づけられた属性情報を記憶した属性情報記憶手段、  前記表示部に表示された被接続対象部の接続点のうち、一つの接続点を決定する接続点決定手段、  前記接続点決定手段により決定された接続点に基づき、該被接続対象部に対応する属性情報から、該接続点に接続される接続対象部の種類および必要条件を抽出する接続条件抽出手段、  前記接続条件抽出手段により抽出された接続対象部の種類および必要条件を満たす接続対象部の作図を指令する作図指令手段を起動する起動手段、として機能させるためのプログラムである。  
【００２０】
本発明の一態様として、前記コンピュータを、さらに、  工作物の設計条件を入力する設計条件入力手段、  前記設計条件入力手段により入力された設計条件を記憶する記憶手段、  前記記憶手段に記憶された設計条件に基づき、前記接続対象部の属性を決定する属性決定手段、として機能させることができる。  
【００２１】
本発明の一態様として、前記属性情報は、部品の位置情報をさらに含み、  前記コンピュータを、さらに、  前記表示制御部により前記表示部に表示された２次元または３次元の部品の図形情報の位置を認識する位置認識手段、  該接続対象部の属性情報の位置情報を、前記位置認識手段により認識された部品の図形情報の位置情報に変更する位置変更手段、として機能させ、  前記表示制御部は、前記部品の属性情報から位置情報を取得し、２次元または３次元の前記接続対象部位の図形情報の表示位置と対応する位置に、３次元または２次元の前記接続対象部位の図形情報を表示することができる。  
【００２２】
本発明の一態様として、前記属性情報は、部品の位置情報をさらに含み、  前記コンピュータを、さらに、  前記表示制御部により前記表示部に表示された平面または断面の部品の図形情報の位置を認識する位置認識手段、  該接続対象部の属性情報の位置情報を、前記位置認識手段により認識された部品の図形情報の位置情報に変更する位置変更手段、として機能させ、  前記表示制御部は、前記部品の属性情報から位置情報を取得し、平面または断面の前記接続対象部位の図形情報の表示位置と対応する位置に、断面または平面の前記接続対象部位の図形情報を表示することができる。  
【００２３】
（２−２）第２のプログラム  本発明の第２のプログラムは、  コンピュータを、工作物の構成要素の作図を指令する作図指令手段、前記作図指令手段により作図の指示をされた工作物の構成要素を表示部に表示する表示制御手段、  前記工作物の設計条件を入力する設計条件入力手段、  前記設計条件入力手段により入力された設計条件を記憶する記憶手段、および、前記記憶手段に記憶された設計条件に基づき、前記作図指令手段により指示された前記工作物の構成要素の属性を決定する属性決定部、として機能させ、  前記作図指令手段は、前記属性決定部で決定された属性を満たす前記工作物の構成要素の作図を指令する、プログラムである。  
【００２４】
（２−３）第３のプログラム  
本発明の第３のプログラムは、  コンピュータを、  部品の図形情報を表示する表示部、  前記部品の位置情報を含む属性情報が記憶された記憶部、  前記表示部に表示する２次元または３次元の部品の図形情報を指定する部品指定手段、  前記作図指令手段により指定された２次元または３次元の部品の図形情報を表示部に表示する表示制御部、  前記表示部に表示された前記２次元または３次元の部品の図形情報の位置を認識する位置認識手段、  該部品の属性情報の位置情報を、前記位置認識手段により認識された部品の図形情報の位置情報に変更する位置変更手段、として機能させるためのプログラムであって、  前記表示制御部は、前記部品の属性情報から位置情報を取得し、前記部品指定手段により指定された２次元または３次元の部品の図形情報の表示位置と対応する位置に、対応する３次元または２次元の部品の図形情報を表示する。  
【００２５】
本発明の一態様として、前記部品の属性情報は、該部品の寸法を含み、  前記コンピュータを、さらに、  前記部品の属性情報に基づいて、２次元または３次元の図形情報を生成する図形情報生成手段として機能させることができる。  
【００２６】
本発明の一態様として、前記コンピュータを、さらに、  前記部品に対応させて２次元または３次元の図形情報が記憶された記憶手段、  前記記憶手段から前記部品の２次元または３次元の図形情報を抽出する図形情報抽出手段として機能させることができる。  
【００２７】
（４）第４のプログラム  本発明の第４のプログラムは、  コンピュータを、  部品の図形情報を表示する表示部、  前記部品の位置情報を含む属性情報が記憶された記憶部、  前記表示部に表示する平面または断面の部品の図形情報を指定する部品指定手段、  前記部品指定手段により指定された平面または断面の部品の図形情報を表示部に表示する表示制御手段、  前記表示部に表示された平面または断面の部品の図形情報の位置を認識する位置認識手段、および、  該部品の属性情報の位置情報を、前記位置認識手段により認識された部品の図形情報の位置情報に変更する位置変更手段として機能させるためのプログラムであって、  前記表示制御部は、前記部品の属性情報から位置情報を取得し、前記部品指定手段により指定された平面または断面の部品の図形情報の表示位置と対応する位置に、対応する断面または平面の部品の図形情報を表示する。  
【００２８】
本発明の一態様として、前記部品の属性情報は、該部品の寸法を含み、  前記コンピュータを、さらに、  前記部品の属性情報に基づいて、平面または断面の図形情報を生成する図形情報生成手段として機能させることができる。  
【００２９】
本発明の一態様として、前記コンピュータを、さらに、  前記部品に対応させて平面または断面の図形情報が記憶された記憶手段、  前記記憶手段から前記部品の平面または断面の図形情報を抽出する図形情報抽出手段として機能させることができる。  
【００３０】
（３）情報記憶媒体  本発明の情報記憶媒体は、本発明のプログラムを記憶したコンピュータ読み取り可能な情報記憶媒体である。
【発明を実施するための最良の形態】
【００３１】
以下、本発明を実施するための最良の形態を図面を参照しながら説明する。  
【００３２】
１．設計図作成システム  図１は、実施の形態に係る設計図作成システムのブロック図である。  
【００３３】
実施の形態に係る設計図作成システム１００は、表示部１０と、記憶部２０と、処理部３０と、操作部４０と、情報記憶媒体５０とを含む。  
【００３４】
表示部１０は、操作部４０からの入力に応じて、工作物（たとえば建築物）の構成要素（たとえば配管、便器、壁、ドアなどの建築物の構成要素）の設計情報を表示する。表示部１０の機能は、工作物の構成要素を表示することができるものであれば特に限定されず、たとえば、たとえばディスプレイ（液晶ディスプレイ、プラズマディスプレイ、有機ＥＬディスプレイ）、ＣＲＴを挙げることができる。表示部１０には、図２に示すように、作図ウィンドウ６０が表示され、その作図ウィンドウに２次元の平面データ領域６２、２次元の断面データ領域６４および３次元データ領域６６を表示することができる。なお、これらの３つのデータ６２，６４，６６のうち、一つのデータまたは二つのデータのみ表示してもよい。  
【００３５】
記憶部２０は、属性情報記憶手段２０ａと、設計条件記憶手段２０ｂと、図形情報記憶手段２０ｃとを含む。  
【００３６】
属性情報記憶手段２０ａは、工作物の構成要素ごとに対応する複数の属性情報を記憶している。この属性情報を図３および図４を用いて説明する。図３は、大便器の属性情報の例であり、図４は、給水管の例である。工作物の構成要素が大便器や配管のように他の部材（接続対象部）で接続されるような部材（被接続対象部）の場合には、その被接続対象部の属性情報は、接続条件を有する（図３および図４参照）。被接続対象部の接続条件は、被接続対象部の接続点ごとに設定され、接続対象部の種類および必要条件、たとえば、接続対象部の種類、取付高さ、位置などの情報を含む。また、属性情報には、その工作物の構成要素の寸法（たとえば幅、奥行き、高さ）などの情報を含むことができる。  
【００３７】
設計条件記憶手段２０ｂは、工作物の設計条件を記憶するものである。この工作物の設計条件とは、工作物のプロジェクト情報、すなわち工作物の種類（たとえば鉄筋コンクリートの建物であるという情報）、用途、態様（天井高さ、階数など）をいう。なお、記憶部２０には、工作物の設計条件に対応させて、各構成要素の必要な条件を記憶したデータベースが記憶されている。  
【００３８】
図形情報記憶手段２０ｃは、部品ごとに対応づけされた２次元の図形情報（平面の図形情報、断面の図形情報を含む。）および３次元の図形情報を記憶している。なお、図形情報の態様としては、単線形状図や、複線形状図、パラメトリック図形であってもよい。図５（Ａ）は大便器の平面の単線形状図の例であり、図５（Ｂ）は大便器の平面の複線形状図の例であり、図５（Ｃ）は大便器の断面の複線形状図であり、図５（Ｄ）は大便器の３次元の図形情報の例である。  
【００３９】
記憶部２０の機能は、光ディスク（ＣＤ、ＤＶＤ）、光磁気ディスク（ＭＯ）、磁気ディスク、ハードディスク、磁気テープ、またはメモリ（ＲＯＭ、ＲＡＭ）などのハードウェアにより実現できる。なお、記憶部２０の機能がＲＡＭにより実現される場合には、属性情報や設計条件が記憶された情報記憶媒体から、電源立ち上げ時にそれらの情報を読み取る必要がある。  
【００４０】
処理部３０は、作図指令手段３０ａと、表示制御手段３０ｂと、接続点決定手３０ｃと、接続条件抽出手段３０ｄと、起動手段３０ｅと、属性決定手段３０ｆと、図形情報生成手段３０ｇと、図形情報抽出手段３０ｈと、位置認識手段３０ｉと、位置変更手段３０ｊとを含む。  
【００４１】
作図指令手段３０ａは、被接続対象部に接続される接続対象部の作図を指令する手段である。接続対象部は、被接続対象部に接続されるものであるが、たとえば、被接続対象部が大便器からなる場合には接続対象部は給水管または排水管となり、被接続対象部が空調機の場合には被接続対象部はダクトとなる。接続対象部には、対応する被接続対象部に接続される接続点を少なくとも一つ有する。  
【００４２】
表示制御手段３０ｂは、工作物の構成要素の作図情報（たとえば作図指令手段により作図の指示をされた接続対象部）を表示部１０に表示されるように制御するものである。  
【００４３】
接続点決定手段３０ｃは、表示部１０に表示された被接続対象部の接続点のうち、一つの接続点を決定するものである。接続点決定手段３０ｃが接続点を決定する方法は、後述の処理フローのところで説明する。  
【００４４】
接続条件抽出手段３０ｄは、接続点決定手段３０ｃにより決定された接続点に基づき、被接続対象部に対応する属性情報から、その接続点に接続される接続対象部の種類および必要条件を抽出するものである。また、接続対象部の必要条件としては、たとえば寸法（接続対象部が配管の場合は径）などを挙げることができる。  
【００４５】
起動手段３０ｅは、接続条件抽出手段３０ｄにより抽出された接続対象部の種類および必要条件を満たす接続対象部の作図を指令する作図指令手段３０ａを起動するものである。たとえば、接続点決定手段３０ｃにより給水管が接続される接続点が選択された場合には、起動手段３０ｅは、給水管の作図を指令する作図指令手段３０ａを起動する。  
【００４６】
属性決定手段３０ｆは、設計条件記憶手段２０ｂに記憶された工作物の設計条件に基づき、作図する工作物の構成要素の属性を決定するものである。具体的には、工作物の設計条件として鉄筋コンクリートの建物であるというプロジェクト条件が設定されていた場合には、種種の構成要素を作図する際に、属性決定手段は、そのプロジェクト情報に応じた構成要素の種類などの属性情報を決定する。  
【００４７】
図形情報生成手段３０ｇは、２次元の図形情報（平面の図形情報、断面の図形情報を含む。）および３次元の図形情報を生成するものである。具体的には、図形情報生成手段３０ｇは、属性情報に含まれる構成要素の寸法にしたがって、図形情報（たとえばパラメトリック図形）を生成する（図６参照）。属性情報に含まれる寸法に基づいて図形情報（パラメトリック図面）を作成することにより、記憶部２０に記憶する図形情報をその分だけ減らすことができる。図７は、パネルタンクの３次元のパラメトリック図形の例であるが、この図形は、横のパネル数、縦のパネル数、パネルの段数を入力し、各パネルの寸法を属性情報から読み出し計算処理することで生成されることができる。  
【００４８】
図形情報抽出手段３０ｈは、図形情報記憶手段２０ｃから部品の２次元の図形情報（平面図の図形情報、断面図の図形情報）または３次元の図形情報を抽出するものである。  
【００４９】
位置認識手段３０ｉは、表示部１０に表示された２次元または３次元の部品の図形情報の位置（設計上の位置）を認識する手段である。位置認識手段３０ｉは、たとえば画面上の基準点からの距離に基づいて算出することができる。  
【００５０】
位置変更手段３０ｊは、部品の属性情報の位置情報を、位置認識手段３０ｉにより認識された部品の図形情報の位置情報に変更する手段である。  
【００５１】
処理部３０の機能は、プロセッサ（たとえばＣＰＵ）により実現することができる。  
【００５２】
操作部４０は、操作者が操作データを入力するためのものである。操作部４０は、操作者が操作データを入力することができるものあれば特に限定されず、その機能は、たとえば、キーボード、マウスにより実現できる。  
【００５３】
操作部４０は、経路入力手段４０ａと、部品指定手段４０ｂと、設計条件入力手段４０ｃと、接続領域指定手段４０ｄと、経路編集手段４０ｅとを含む。  
【００５４】
経路入力手段４０ａは、工作物の構成要素（たとえば配管）を作図する際に、その経路を入力する手段である。マウスによりカーソルを移動させ、そのカーソルの移動経路にしたがって、工作物の構成要素の経路が決まる場合には、マウスが経路入力手段として機能する。  
【００５５】
部品指定手段４０ｂは、表示部１０に表示する２次元または３次元の部品の図形情報を指定する手段である。表示部１０に複数の部品の図形情報を表示し、マウスによりカーソルを動かし、クリックして図形情報を指定する場合には、マウスが部品指定手段として機能する。  
【００５６】
設計条件入力手段４０ｃは、工作物の設計条件を入力する手段である。  
【００５７】
接続領域指定手段４０ｄは、操作者が被接続対象部および接続点を指定するための手段である。たとえば、接続領域指定手段４０ｄとしてのマウスにより画面上に表示されたカーソルを動かし、カーソルが所定領域にあるときにマウスをクリックすることで、接続領域を指定することができる。  
【００５８】
経路編集手段４０ｅは、表示部１０に表示されている配管などの経路の変更情報を入力する手段である。たとえば、キーボー
ドの所定のキーを押すことで、経路編集手段４０ｅにより表示部１０に表示された構成要素の経路を変更などすることができる。  
【００５９】
情報記憶媒体５０は、プログラム（たとえば、設計図作成システムを実行するプログラム）などの情報を記憶させるものである。情報記憶媒体５０の機能は、光ディスク（ＣＤ、ＤＶＤ）、光磁気ディスク（ＭＯ）、磁気ディスク、ハードディスク、磁気テープ、またはメモリ（ＲＯＭ）などのハードウェアにより実現できる。  
【００６０】
２．動作  （１）第１動作例  被接続対象部として大便器を、接続対象部として排水管を例に挙げて、図９〜図１１を参照しながら説明する。  
【００６１】
まず、部品指定手段４０ｂにより、表示部１０に表示する被接続対象部を指定する（Ｓ１０）。部品指定手段４０ｂにより被接続対象部が指定されると、表示制御手段３０ｂが表示部１０に被接続対象部７０を表示する（Ｓ１１、図９（Ａ）参照）。  
【００６２】
次に、接続領域指定手段４０ｄにより接続領域を指定する（Ｓ１２、図９（Ｂ）参照）。この接続領域の指定は、たとえばカーソル７６をマウスで動かし、マウスをクリックすることで行うことができる。その接続領域が指定されると、接続点決定手段３０ｃは、接続点７２を決定する。接続点の決定方法としては、たとえば２つの方法がある。第１に、図１０に示すように、接続領域指定手段３０ｃにより指定された指定位置８０から、各接続点までの距離Ｘ１，Ｙ１を算出し、最も近い接続点７２を判断し、その接続点７２を接続対象部が接続される接続点とする方法である。第２に、図１１に示すように、各接続点７２，７８ごとに選択領域７２ａ，７８ａを決めておき、接続領域指定手段４０ｄに指定された指定位置８０がどの選択領域にあるかを判断し、その選択領域７２ａにおける接続点７２を接続対象部が接続される接続点として決定する方法である。  
【００６３】
次に、接続条件抽出手段３０ｄが、決定した接続点に基づき被接続対象部の属性情報から接続条件を読み出す（Ｓ１４）。次に、起動手段３０ｅが、接続条件に含まれる接続対象部の種類および必要条件を満たす接続対象部の作図を指令する作図指令手段３０ａを自動起動する。たとえば、被接続対象部が大便器の場合には、給水管または排水管の作図を指令する作図指令手段を起動させる（Ｓ１５）。なお、ここでは接続点７２が選択されているので、排水管の作図指令手段３０ａが自動起動する。  
【００６４】
次に、経路入力手段４０ａにより入力された経路情報に対応させて、接続対象部の経路を表示部１０に表示する。具体的には、マウスによりカーソル７６を移動させて、カーソル７６の移動経路に対応した経路を有する排水管７４を表示部１０に表示することができる（Ｓ１６、図９（Ｃ）参照）。  
【００６５】
（２）第２動作例  被接続対象部としての配管に、接続対象部として配管を接続する例を説明する。  
【００６６】
基本的には、第１動作例と同一だが、被接続対象部の配管は、図１２（Ａ）に示すように、複数の接続点７２（１），７２（２）・・・７２（ｎ）を有する。この配管９０に他の配管９２を接続する場合には、たとえば次のように行うことができる。たとえば、図１２（Ａ）に示すように、マウスによりカーソル７６を接続しようとする領域にもっていき、そこでクリックすることで、接続点決定手段３０ｃにより、接続点７２（ｍ）が決定される。接続条件抽出手段３０ｄがその接続点７２（ｍ）に対応する接続条件を属性情報から読み出し、その接続条件を満たす配管７６を作図するための作図指令手段３０ａを自動起動させる。そして、経路入力手段４０ａにより経路を入力し、その入力情報に基づき、図１２（Ｂ）に示すように、表示制御手段３０ｂが表示部１０に他の配管を表示する。  
【００６７】
（３）第３動作例  図１３を参照しながら、第３動作例を説明する。  
【００６８】
部品指定手段４０ｂにより、工作物の構成要素を指定する（Ｓ２０）。部品指定手段４０ｂにより工作物の構成要素が指定されると、属性決定手段３０ｆが設計条件記憶手段２０ｂに記憶されている工作物の設計条件（プロジェクト情報）に従って、その構成要素の属性を決定する（Ｓ２１）。次に、表示制御手段３０ｂが、表示部１０に決定された属性を満たす構成要素を表示する（Ｓ２２）。  
【００６９】
（４）第４動作例  図１４を参照しながら、第４動作例を説明する。この動作例では、工作物の構成要素（被接続対象部および接続対象部を含む）を表示するための動作例を説明する。  
【００７０】
工作部の構成要素を表示する際に、平面の図形情報、断面の図形情報および３次元の図形情報を表示してもよい。具体的には、次のように２次元および３次元の図形情報を表示することができる。ここでは、平面図データを軸に設計する場合の例を説明する。  
【００７１】
まず、ある部品を平面データ領域に表示する（Ｓ３０）。位置認識手段３０ｉが表示部１０に平面データ領域に表示された部品の位置を認識する（Ｓ３１）。次に、位置変更手段３０ｊが、この部品の属性情報の位置情報を、位置認識手段３０ｉにより認識された部品の図形情報の位置情報に変更する（Ｓ３２）。次に、表示制御部３０ｂは、部品の属性情報から位置情報を取得し、その２次元の図形情報の位置と対応する位置に、対応する断面の図形情報および３次元の図形情報を断面データ領域および３次元データ領域のそれぞれに表示する（Ｓ３３）。  
【００７２】
なお、ここで、平面図データを軸に設計する例を挙げたが、断面図の図形データまたは３次元の図形データを軸にして設計してもよい。  
【００７３】
上記のいずれの動作例で表示される図形は、図形情報生成手段３０ｇにより生成される図形であっても、図形情報抽出手段３０ｈにより抽出された図形であってもよい。  
【００７４】
３．作用効果  （１）従来は、被接続対象部に接続される接続対象部を作図する際に、接続対象部の種類、接続点の位置、取り付け高さなどを入力して作図していた。しかし、この実施の形態によれば、操作者が指示した情報（たとえばカーソルで指定した位置）に基づき、接続点決定手段３０ｃが接続点を決定し、接続条件抽出手段３０ｄがその接続点に対応する接続条件（接続対象部の種類および必要条件）を属性情報から読み出し、起動手段３０ｅがその接続対象部の種類および必要条件を満たす接続対象部の作図を指令する作図指令手段３０ａを自動起動している。したがって、この実施の形態によれば、接続対象部の種類、接続点の位置等を入力するためのコマンドを起動させる工程やそれらの情報を入力する工程が不要なため、作図作業の工程数を大幅に減らすことができ、作図業務の効率化を図ることができる。  
【００７５】
また、今までは作図指令手段を実行するために入力作業などの特殊な作業が必要であったが、この実施の形態によれば、操作者が接続点に近い位置を指定すれば自動的に作図指令手段３０ａが自動起動するため、より簡易な操作方法で作図をすることができる。したがって、ＣＡＤなどの作図システムに熟練していない人でもより容易に操作することができる。  
【００７６】
また、一度属性情報に接続条件を入力してやれば、接続の際に情報を入力する必要がないため、情報入力のミスに基づき設計図作成のミスを減らすことができる。  
【００７７】
また、この実施の形態は、接続プロセスが多い、建築用の設計図作成システムとして特に有用である。  
【００７８】
（２）また、この実施の形態によれば、属性決定手段３０ｆと、設計条件記憶部２０ｂとを含むことから次の作用効果を奏することができる。  
【００７９】
属性決定手段３０ｆが、設計条件記憶手段２０ｂから設計条件を読み出し、その設計条件にしたがって作図しようとする工作物の構成要素の属性（たとえば種類、取り付け位置）を決定するため、各工作物の構成要素を作図する際、その属性情報を入力する必要がない。このため、作図の効率化を図ることができる。  
【００８０】
（３）この実施の形態によれば、設計図面作成時に、平面図データ、断面図データおよび３次元データを画面上に表示することができる。これにより、設計している際に、同時に種種の観点から、作成している設計図をチェックすることができる。  
【００８１】
本発明は、上記の実施の形態に限定されず、本発明の要旨を超えない範囲で種々の変更が可能である。  
【００８２】
上記の例では、各部品には複数の接続点がある例を示したが、本発明は、一つの接続点のみしか有さない部品に接続対象部を接続する態様も含む。
【産業上の利用可能性】
【００８３】
工作物、たとえば建築物の設計の際に適用することができる。
【図面の簡単な説明】
【００８４】
【図１】設計図作成システムのブロック図を示す。
【図２】作図ウィンドウの表示例を示す。
【図３】大便器の属性情報を示す。
【図４】給水管の属性情報を示す。
【図５】部品の表示例を示す。
【図６】ポンプのパラメトリック図形の例を示す。
【図７】タンクのパラメトリック図形の例を示す。
【図８】第１動作例のフロチャートを示す。
【図９】第１動作例の各ステップの説明図である。
【図１０】接続点決定方法を説明するための図である。
【図１１】接続点決定方法を説明するための図である。
【図１２】配管に他の配管を接続する動作の説明図である。
【図１３】第３動作例を説明するための図である。
【図１４】第４動作例を説明するための図である。
【符号の説明】
【００８５】
１０    表示部
２０    記憶部
２０ａ  属性情報記憶手段
２０ｂ  設計条件記憶手段
２０ｃ  図形情報記憶手段
３０    処理部
３０ａ  作図指令手段
３０ｂ  表示制御手段
３０ｃ  接続点決定手段
３０ｄ  接続条件抽出手段
３０ｅ  起動手段
３０ｆ  属性決定手段
３０ｇ  図形情報生成手段
３０ｈ  図形情報抽出手段
３０ｉ  位置認識手段
３０ｊ  位置変更手段
４０    操作部
４０ａ  経路入力手段
４０ｂ  部品指定手段
４０ｃ  設計条件入力手段
４０ｄ  接続領域指定手段
４０ｅ  経路編集手段
５０    情報記憶媒体
７０    大便器
７２    接続点
７４    排水管
７６    カーソル
７８    接続点
８０    指定位置
９０    配管（被接続対象部）
９２    配管（接続対象部）
１００  設計図作成システム 
【図１】
2010165382.tif 000003
【図２】
2010165382.tif 000004
【図３】
2010165382.tif 000005
【図４】
2010165382.tif 000006
【図５】
2010165382.tif 000007
【図６】
2010165382.tif 000008
【図７】
2010165382.tif 000009
【図８】
2010165382.tif 000010
【図９】
2010165382.tif 000011
【図１０】
2010165382.tif 000012
【図１１】
2010165382.tif 000013
【図１２】
2010165382.tif 000014
【図１３】
2010165382.tif 000015
【図１４】
2010165382.tif 000016